(57)【要約】【課題】排気する熱気や煙等が接触する壁面の表面積が大きいため、壁面に付着した油塵成分の清掃が大変であるという課題があった。【解決手段】  本発明にかかる台所用換気装置によれば、略筒状の第一ダクト５０ｂおよび第二ダクト４０ｂにより排気経路を形成することにより、清掃面積を減少させることができ、清掃を簡単に行うことができる。さらに、サイクロン式集塵装置６０ａ，６０ｂを使用することにより、サイクロン式集塵装置６０ａ，６０ｂにて集中的に油塵成分を回収することができる。従って、より第一ダクト５０ｂおよび第二ダクト４０ｂの清掃は簡単なものとすることができる。【選択図】  図５
2005127560.tif 000002
【特許請求の範囲】
【請求項１】
上方に凸となるように湾曲するとともに軸方向を左右に配向させた略半円筒形状の案内板と、同案内板の左右両端に備えられ内部と左右外側とを区画する左右一対の略板状の側面板とで下方に開口する捕集空間を形成するレンジフードであって、上記案内板が上昇する熱気や煙等を案内することにより上記側面板の略中央部に上記熱気や煙等を収束させるレンジフードと、上記側面板のそれぞれの略中央に形成され、上記レンジフードの内部と外部を連通させる左右一対の吸気口と、上記レンジフードの外部後方における左右略中央部に備えられ、上記吸気口から上記レンジフードにて捕集した上記熱気や煙等を導出し室外に排気させるファンユニットと、それぞれの上記吸気口から上記ファンユニットまでを略筒状経路にて連通させる左右一対のダクトとを具備することを特徴とする換気装置。
【請求項２】
上記熱気や煙等に含まれる油塵成分を遠心分離させる左右一対のサイクロン式集塵装置が備えられるとともに、左右一対の上記ダクトは、それぞれの上記吸気口と上記サイクロン式集塵装置のそれぞれの上記入口とを連通させる左右一対の第一ダクトと、上記サイクロン式集塵装置のそれぞれの出口と上記ファンユニットの吸気口とを略筒状経路にて連通させる左右一対の第二ダクトとからなることを特徴とする請求項１に記載の換気装置。
【請求項３】
上記サイクロン式集塵装置は、略すりばち状の分離容器の内壁面にて上記熱気や煙等を案内して奥部下方に向かって旋回する螺旋回気流を発生させることにより、上記熱気や煙等に含まれる油塵成分を遠心分離させることを特徴とする請求項２に記載の換気装置。
【請求項４】
上記第一ダクトは、略筒状経路により上記サイクロン式集塵装置のそれぞれの入口における上記螺旋回気流の旋回方向と同一方向に上記熱気や煙等を整流させることを特徴とする請求項２または請求項３のいずれかに記載の換気装置。
【請求項５】
それぞれの上記サイクロン式集塵装置の上記入口に吹き込んだ上記熱気や煙等は左右内側に向かって旋回していくことを特徴とする請求項２から請求項４のいずれかに記載の換気装置。
【請求項６】
上記サイクロン式集塵装置は、上記入口が設けられるとともに、軸方向が略鉛直な略円筒状の外径壁面と内径壁面とで囲まれ、上方から上面により蓋をされ、下方は開口し同外径壁面の下端にて上記分離容器の上部開口に接続する略環状の導入部を具備することを特徴とする請求項３から請求項５のいずれかに記載の換気装置。
【請求項７】
上記内径壁面に囲まれた空間にて、略すりばち状の上記分離容器の内部にて旋回する上記熱気や煙等を上記サイクロン式集塵装置の外側に形成された上記出口まで導出させることを特徴とする請求項６に記載の換気装置。
【発明の詳細な説明】
【技術分野】
【０００１】
本発明は、換気装置に関し、特に熱気や煙等を捕集するレンジフードを備える換気装置に関する。
【背景技術】
【０００２】
従来、この種の換気装置として、レンジフードの内部において捕集された熱気や煙等が収束する一対の側面板のそれぞれの略中央部に吸気口を設け、同吸気口から煙道と排気空間とを介して室外に熱気や煙等を排気させるものが知られている（例えば、特許文献１、参照。）。
かかる構成によれば、吸気口がレンジフードにおいて熱気や煙等が収束する位置に形成されているため、煙等の捕集効率が高くより確実に排気させることが可能であった。
【特許文献１】特開２００１−１３３００３号公報
【発明の開示】
【発明が解決しようとする課題】
【０００３】
上述した換気装置においては、レンジフードの背面に設けられた排気空間が大きく形成されているため、通過する熱気や煙等が接触する壁面の表面積が大きい。従って、壁面に付着した油塵成分の清掃が大変であるという課題があった。さらに、排気空間の形状が複雑であるため、奥部に入り込んだ油塵成分の除去が大変であるという課題もあった。
本発明は、上記課題にかんがみてなされたもので、油塵成分の清掃が簡単な換気装置の提供を目的とする。
【課題を解決するための手段】
【０００４】
上記目的を達成するため、請求項１にかかる発明は、上方に凸となるように湾曲するとともに軸方向を左右に配向させた略半円筒形状の案内板と、同案内板の左右両端に備えられ内部と左右外側とを区画する左右一対の略板状の側面板とで下方に開口する捕集空間を形成するレンジフードであって、上記案内板が上昇する熱気や煙等を案内することにより上記側面板の略中央部に上記熱気や煙等を収束させるレンジフードと、上記側面板のそれぞれの略中央に形成され、上記レンジフードの内部と外部を連通させる左右一対の吸気口と、上記レンジフードの外部後方における左右略中央部に備えられ、上記吸気口から上記レンジフードにて捕集した上記熱気や煙等を導出し室外に排気させるファンユニットと、それぞれの上記吸気口から上記ファンユニットまでを略筒状経路にて連通させる左右一対のダクトとを具備する構成としてある。
【０００５】
すなわち、レンジフードは下方の開口から内部に熱気や煙等を捕集する。上記レンジフードの幅方向両端には外部と区画する左右一対の略板状の側面板が備えられる。それぞれの上記側面板の略中央部には吸気口が設けられる。上記吸気口は、上記レンジフードの内外を連通させるため、上記レンジフードの外部後方に備えられた上記ファンユニットは上記吸気口を介して上記レンジフードの外部に上記熱気や煙等を導出させることができる。また、上記案内板により上記熱気や煙等は上記吸気口が形成された上記側面板の略中央部に収束させられるため、上記吸気口から効率よく上記熱気や煙等を排気させることができる。上記レンジフードの外部に導出させられた上記熱気や煙等は、さらに上記ファンユニットにより室外に排気される。
【０００６】
上記吸気口から上記ファンユニットまでの排気経路は、左右一対のダクトにより略筒状の経路とすることにより、上記ダクトは、簡単、かつ、排気経路において上記熱気や煙等の接触面積が小さい構造となるため、清掃を簡易化させることが可能となる。
【０００７】
また、請求項２にかかる発明は、上記熱気や煙等に含まれる油塵成分を遠心分離させる左右一対のサイクロン式集塵装置が備えられるとともに、左右一対の上記ダクトは、それぞれの上記吸気口と上記サイクロン式集塵装置のそれぞれの上記入口とを連通させる左右一対の第一ダクトと、上記サイクロン式集塵装置のそれぞれの出口と上記ファンユニットの吸気口とを略筒状経路にて連通させる左右一対の第二ダクトとからなる構成としてある。
【０００８】
すなわち、上記熱気や煙等に含まれる油塵成分を遠心分離させることが可能な左右一対のサイクロン式集塵装置が備えられる。これに対応して、上記ダクトは第一ダクトと第二ダクトとで構成される。上記第一ダクトは、上記吸気口のそれぞれと、上記サイクロン式集塵装置のそれぞれの入口と連通させる。上記第二ダクトは、上記サイクロン式集塵装置のそれぞれの出口と上記ファンユニットの吸気口とを略筒状経路にて連通させる。すなわち、上記ダクトの略筒状経路の中に上記サイクロン式集塵装置を介在させることができる。上記サイクロン式集塵装置は左右一対備えられるため、流路断面積が同一の場合には、単一の場合の倍となり圧力損失を抑えることができるし、左右分散させて集塵することができるため集塵効率も高くなる。また、上記サイクロン式集塵装置を備えておけば、通常吸気口に備えられるフィルタを省略することが可能となり、フィルタの目詰まりによる風量の減少等の問題が無くなると共に、フィルタの清掃や交換等の手間を省くこともできる。
【０００９】
また、請求項３にかかる発明は、上記サイクロン式集塵装置は、略すりばち状の分離容器の内壁面にて上記熱気や煙等を案内して奥部下方に向かって旋回する螺旋回気流を発生させることにより、上記熱気や煙等に含まれる油塵成分を遠心分離させる構成としてある。
すなわち、略すりばち状の分離容器の内壁面にて上記熱気や煙等を案内することにより、奥部下方に向かって旋回する螺旋回気流を発生させる。そして、この螺旋回気流に作用する遠心力により、上記熱気や煙等に含まれる油塵成分を遠心分離させることが可能となる。
【００１０】
さらに、請求項４にかかる発明は、上記第一ダクトは、略筒状経路により上記サイクロン式集塵装置のそれぞれの入口における上記螺旋回気流の旋回方向と同一方向に上記熱気や煙等を整流させる構成としてある。
すなわち、上記第一ダクトの略筒状経路を通過させる間に上記熱気や煙等を上記サイクロン式集塵装置の上記入口における上記螺旋回気流の風向と同一方向に整流させることができる。従って、整流された上記熱気や煙等を上記サイクロン式集塵装置の上記入口に真っ直ぐに送り込むことができる。そのため、上記サイクロン式集塵装置の上記分離容器における上記螺旋回気流の風速が大きくなり、油塵成分を確実に分離除去することができる。また、上記サイクロン式集塵装置の上記入口において乱流が発生しにくくなるため、圧力損失が少なくて済む。
【００１１】
また、請求項５にかかる発明は、それぞれの上記サイクロン式集塵装置の上記入口に吹き込んだ上記熱気や煙等は左右内側に向かって旋回していく構成としてある。
すなわち、上記入口に吹き込んだ上記熱気や煙等を左右内側に向かって旋回させることにより、上記レンジフードの外部後方における左右略中央部に配設される上記ファンユニットに近い位置にて上記螺旋回気流を発生させることができる。従って、上記ファンユニットまでの経路が短くなり圧力損失を低減させることが可能となる。
【００１２】
さらに、請求項６にかかる発明は、上記サイクロン式集塵装置は、上記入口が設けられるとともに、軸方向が略鉛直な略円筒状の外径壁面と内径壁面とで囲まれ、上方から上面により蓋をされ、下方は開口し同外径壁面の下端にて上記分離容器の上端に接続する略環状の導入部を具備する構成としてある。
すなわち、上記入口が設けられた上記導入部において、上記熱気や煙等は軸方向が略鉛直な略円筒状の外径壁面と内径壁面とで囲まれた略環状空間を通過することとなる。従って、略すりばち状の上記分離容器に吹き込む前に確実に旋回気流を生成することができる。
【００１３】
また、請求項７にかかる発明は、上記内径壁面に囲まれた空間にて、略すりばち状の上記分離容器の内部にて旋回する上記熱気や煙等を上記サイクロン式集塵装置の外側に形成された上記出口まで導出する構成としてある。
すなわち、上記導入部と、上記サイクロン式集塵装置の外側に形成された上記出口まで導出する経路とが上記内径壁面により区画することができる。従って、上記入口から入ってきた上記熱気や煙等が略すりばち状の上記分離容器の内部を経由することなく、上記出口から排出されてしまうことを防止することができる。
【発明の効果】
【００１４】
以上説明したように、請求項１にかかる発明によれば、清掃が簡単な換気装置を提供することができる。
請求項２にかかる発明では、フィルタを省略し、同フィルタの交換や清掃を省くことができる。
請求項３にかかる発明では、サイクロン式集塵装置にて油塵成分を遠心分離することができる。
請求項４にかかる発明では、サイクロン式集塵装置における旋回気流の流速を速くすることができる。
請求項５にかかる発明では、圧力損失を低減させることが可能となる。
請求項６にかかる発明では、サイクロン式集塵装置において確実に旋回気流を生成することにより、油塵成分の捕集効率を向上させることができる。
請求項７にかかる発明では、サイクロン式集塵装置において確実に分離容器に熱気や煙を通過させることにより、油塵成分の捕集効率を向上させることができる。
【発明を実施するための最良の形態】
【００１５】
以下、下記の順序に従って本発明の実施の形態について説明する。
（１）台所用換気装置の全体構成：
（２）サイクロン式集塵装置の構成：
【００１６】
（１）台所用換気装置の全体構成：
図１は本発明の第一の実施形態にかかる台所用換気装置１０の外観を示す斜視図である。同図において、下方に開口２０ａを有するレンジフード２０が備えられている。なお、図示しないが開口２０ａの下方において、同開口２０ａに対向するようにガスコンロ等の調理器具が備えられている。レンジフード２０は、上方に凸となるように湾曲する略円筒状の案内面２１と、同案内面２１の軸方向両端にてレンジフード２０の内部と外部とを区画する左右一対の側面板２３ａ，２３ｂとで構成されている。また、操作パネル２９が配設されている。レンジフード２０の上方には、左右両端が後方に屈曲された幕板３０が立設されている。
【００１７】
図２は、レンジフード２０の断面を側方から見て示している。同図において、案内面２１における後方部分は下方に延設されて、前方に傾斜する略板状の平面部２１ａが形成されている。一方、案内面２１における前方端部を後方に折り返すことによりガイド部２１ｂを形成している。かかる構成により、調理器具により熱せられレンジフード２０の開口２０ａに向かって上昇する熱気や煙を、レンジフード２０の内部に捕集することができる。レンジフード２０の内部では、上方に向かう熱気や煙が案内面２１に案内されることにより、前方に向かう気流が発生する。この気流は前方に進行しようとして、案内面２１の湾曲形状に沿うように下方に向かって進行するように案内される。さらに、下方に向かって進行する気流は、案内面２１の前方端部のガイド部２１ｂによって後方に向かって案内される。
【００１８】
すなわち、レンジフード２０の内部では、上方に向かう熱気や煙が旋回するように案内される。レンジフード２０の内部で熱気や煙を旋回させることにより、熱気や煙の外部への漏れを防止することができる。従って、レンジフード２０によって確実に熱気や煙を捕集することが可能となっている。側面板２３ａには、外部と連通する略円形の吸気口２３ａ１が形成されている。また、図示されない側面板２３ａにも同様に略円形の吸気口２３ｂ１が形成されている。
【００１９】
図１において、レンジフード２０の幅方向外側には左右一対の第一ダクト５０ａ，５０ｂが配設されている。第一ダクト５０ａ，５０ｂは軸方向が前後となる略筒状の閉鎖空間となっている。ただし、第一ダクト５０ａにおける側面板２３ａと接する部分は内側に開口しており、第一ダクト５０ａとレンジフード２０の内部とが連通している。同様に、右側の第一ダクト５０ｂとレンジフード２０の内部とが連通している。また、第一ダクト５０ａ，５０ｂの後方端部は、左右一対のサイクロン式集塵装置６０ａ，６０ｂのそれぞれに連通されている。
【００２０】
図３は、台所用換気装置１０を上方から見て示している。同図において、レンジフード２０の外部後方における左右略中央部にはファンユニット７０が備えられている。ファンユニット７０は、内部に備えられたシロッコファン７０ｃの回転駆動により気流を発生させ、ファン吸気口７０ａから吸気した空気をファン排気口７０ｂから排出させる。ファン排気口７０ｂは室外につながる排気ダクトに接続されているため、ファンユニット７０は室内の空気を室外に排気することが可能となっている。
【００２１】
図４は、ファンユニット７０と第二ダクト４０ａ，４０ｂを斜めから見て示している。なお、同図は台所用換気装置１０の後方から見て示した分解斜視図である。ファンユニット７０のファン吸気口７０ａは後方に開口しており、内部にはシロッコファン７０ｃが見えている。一方、第二ダクト４０ａ，４０ｂは半月状部４０ｃにて合流されており、同半月状部４０ｃの前方壁面には連通穴４０ｃ１が形成されている。そして、連通穴４０ｃ１とファン吸気口７０ａの位置が一致するように、ファンユニット７０と第二ダクト４０ａ，４０ｂとを接合している。従って、ファンユニット７０は第二ダクト４０ａ，４０ｂの内部の空気を吸気することが可能となっている。
【００２２】
図３に示すように、第二ダクト４０ａ，４０ｂは軸方向を幅方向とする略筒状の閉鎖空間となっている。ただし、ファンユニット７０のファン吸気口７０ａに対して連通穴４０ｃ１が開口するとともに、それぞれの左右外側端部も開口し左右一対のサイクロン式集塵装置６０ａ，６０ｂのそれぞれの出口と連通している。
【００２３】
かかる構成により、ファンユニット７０がシロッコファン７０ｃを駆動させることにより、サイクロン式集塵装置６０ａ，６０ｂの内部の空気をそれぞれ第二ダクト４０ａ，４０ｂを介して吸気して、同空気を室外に排気させることができる。さらに、上述したようにサイクロン式集塵装置６０ａ，６０ｂは、それぞれ第一ダクト５０ａ，５０ｂを介してレンジフード２０の内部と連通している。従って、ファンユニット７０はレンジフード２０の内部にて捕集した熱気や煙等を吸気し、同熱気や煙等を室外に排気させることが可能となっている。なお、ファンユニット７０はレンジフード２０に配設された操作パネル２９の操作に基づいて、シロッコファン７０ｃの駆動を制御させる。
【００２４】
（２）サイクロン式集塵装置の構成：
図５は、サイクロン式集塵装置を分解した状態を示している。同図において、サイクロン式集塵装置６０ｂは、略円筒状の導出部６０ｂ１と、略円筒状の導入部６０ｂ２と、略すりばち状の分離容器６０ｂ３とから構成されている。導入部６０ｂ２は、中心に略円形の貫通穴６０ｂ２ａが形成された上面６０ｂ２ｂにより上方から蓋がされている。一方、導入部６０ｂ２の下方には略円形開口６０ｂ２ｃが形成されている。分離容器６０ｂ３は、頂点が下方に配向する略円錐状の外形を有しており、内部が中空状となっている。分離容器６０ｂ３は、上方に略円形の開口６０ｂ３ａが形成されている。そして、同開口６０ｂ３ａと導入部６０ｂ２の開口６０ｂ２ｃとを一致させるように、導入部６０ｂ２と分離容器６０ｂ３とを接合することにより、導入部６０ｂ２の内部空間と分離容器６０ｂ３の内部空間とを連通させることが可能となっている。
【００２５】
略円筒状の導出部６０ｂ１は、下方に略円形の開口６０ｂ１ａが形成されている。導出部６０ｂ１の外径は、導入部６０ｂ２の上面６０ｂ２ｂに形成された貫通穴６０ｂ２ａの径と等しくなっており、導出部６０ｂ１の下方部分は導入部６０ｂ２の内部に上方から嵌入させることが可能となっている。導出部６０ｂ１の下方部分を導入部６０ｂ２の内部に上方から嵌入させると、導入部６０ｂ２の内部には同導入部６０ｂ２の外壁面および導出部６０ｂ１の外壁面とで囲まれた略環状の空間が形成される。すなわち、導入部６０ｂ２外壁面を外径壁面とし、導出部６０ｂ１の外壁面を内径壁面とした略環状の空間を形成することが可能となっている。この状態において、導出部６０ｂ１の下方開口は導入部６０ｂ２の内部に侵入し、分離容器６０ｂ３の開口６０ｂ３ａまで到達するため、導出部６０ｂ１の内部空間と分離容器６０ｂ３の内部空間とが連通する。
【００２６】
一方、導入部６０ｂ２の接線方向に軸方向が一致するように第一ダクト５０ｂが延設されており、第一ダクト５０ｂの内部空間が導入部６０ｂ２の内部空間に連通している。なお、本実施形態においては第一ダクト５０ｂと導入部６０ｂ２とが一体部材により形成されているが、第一ダクト５０ｂと導入部６０ｂ２とが別部材で構成されていてもよい。この場合、第一ダクトの後方端部を開口させ、その開口に導入部６０ｂ２に形成された入口を接続させればよい。本実施形態においては第一ダクト５０ｂと導入部６０ｂ２とが一体部材により形成されているため、実質的に導入部６０ｂ２に入口は存在しないが、便宜的に第一ダクト５０ｂと導入部６０ｂ２との境界部分を入口６０ｂ２ｄとして以下説明する。
【００２７】
導出部６０ｂ１に第二ダクト４０ｂが延設されており、第二ダクト４０ｂの内部空間が導出部６０ｂ１の内部空間に連通している。なお、本実施形態においては第二ダクト４０ｂと導出部６０ｂ１とが一体部材により形成されているが、第二ダクト４０ｂと導入部６０ｂ２とが別部材で構成されていてもよい。この場合、第二ダクトの幅方向外側端部を開口させ、その開口に導出部６０ｂ１に形成された出口を接続させればよい。本実施形態においては第二ダクト４０ｂと導出部６０ｂ１とが一体部材により形成されているため、実質的に導出部６０ｂ１に出口は存在しないが、便宜的に第二ダクト４０ｂと導出部６０ｂ１との境界部分を出口６０ｂ１ｂとして以下説明する。
【００２８】
図６は、サイクロン式集塵装置６０を組み付けた状態を示している。同図において、第一ダクト５０ｂと第二ダクト４０ｂと導入部６０ｂ２と分離容器６０ｂ３の内部空間が全て連通している。従って、第一ダクト５０ｂが接続されたレンジフード２０内部の熱気や煙等を、第二ダクト４０ｂが接続されたファンユニット７０によって吸気することが可能となっている。同図において、熱気や煙等の排気流路における気流方向を矢印にて示している。まず、第一ダクト５０ｂの内部においては熱気や煙等は、第一ダクト５０ｂの軸方向に整流させられる。すなわち、熱気や煙等は後方に向かって進行することとなる。  
【００２９】
次に、導入部６０ｂ２の入口６１ｂ２ｃを通過した熱気や煙等は、導入部６０ｂ２内部の略環状の空間に導入される。導入部６０ｂ２の内部に導入された熱気や煙等は、導入部６０ｂ２の外径壁面および内径壁面に案内されて旋回気流となる。この旋回気流の接線方向と第一ダクト５０ｂの軸方向とが一致しているため、第一ダクト５０ｂの内部にて整流した気流を無駄なく旋回気流の付勢に利用することができる。また、導入部６０ｂ２の入口６１ｂ２ｃ付近にて乱流が発生することもないため、圧力損失を抑制することが可能となる。
【００３０】
導入部６０ｂ２にて発生した旋回気流は、第二ダクト４０ｂと連通した導出部６０ｂ１の下方開口６０ｂ１ａに向かって進行しようとする。しかしながら、導出部６０ｂ１の下方開口６０ｂ１ａは、分離容器６０ｂ３の開口６０ｂ３ａまで到達しているため、旋回気流は分離容器６０ｂ３に向かうべく下方の速度成分を有することとなる。さらに、旋回気流は円周方向に強く付勢されているため、しばらくの間は旋回を続けることとなる。すなわち、遠心力によって分離容器６０ｂ３に沿って旋回させられるため、旋回気流の回転中心に位置する導出部６０ｂ１の下方開口６０ｂ１ａに吸気されることなく旋回を続けることとなる。従って、分離容器６０ｂ３の内部において下方の速度成分を有する螺旋回気流が生成される。
【００３１】
さらに、分離容器６０ｂ３は下方に行くほど径が小さくなっていくため、螺旋回気流の旋回半径も徐々に小さくなっていく。ここで、螺旋回気流の風速は、ある程度は減衰するものの慣性により維持されることとなる。従って、螺旋回気流の旋回半径が小さくなる分離容器６０ｂ３の下方では、螺旋回気流の角速度は大きいものとなる。一方、遠心力は旋回半径に比例するものの角速度の二乗に比例するため、分離容器６０ｂ３の下方における螺旋回気流に働く遠心力は増大する。
【００３２】
本発明においては、この遠心力を利用することにより、熱気や煙等に含まれる油塵成分を分離除去している。すなわち、熱気や煙等に含まれる油塵成分と空気成分とは比重が大きく異なるため、これらに大きい遠心加速度を及ぼすことにより、両者を分離させることが可能となっている。比重の大きい油塵成分には大きい遠心力がかかるため、油塵成分のみを遠心方向に分離させることができる。遠心方向に分離された油塵成分は、分離容器６０ｂ３あるいは導入部６０ｂ２の壁面に付着する。導入部６０ｂ２の壁面に付着した油塵成分は、重力により分離容器６０ｂ３の先端部分に溜まり、分離容器６０ｂ３を清掃することにより簡単に除去することができる。むろん、細孔に熱気や煙等を通過させ油塵成分を分離させるフィルタを使用していないため、目詰まりをおこすこともない。
【００３３】
一方、分離容器６０ｂ３の先端まで到達した螺旋回気流は下方の行き場を失い、熱気や煙等は上方の導出部６０ｂ１の開口６０ｂ１ａから吸気される。このときの排気流路と導入部６０ｂ２とは、導出部６０ｂ１の壁面によって区画されるため、導入部６０ｂ２にて旋回する熱気や煙等と排気流とが混合してしまうことはない。逆に、導入部６０ｂ２にて旋回する熱気や煙等が分離容器６０ｂ３を経由することなく導出部６０ｂ１の開口６０ｂ１ａから吸気されることもないため、確実に熱気や煙等に含まれる油塵成分を分離させることができる。
【００３４】
導出部６０ｂ１の開口６０ｂ１ａから吸気された熱気や煙等は、第二ダクト４０ｂを経由して、ファンユニット７０により室外に排気させられる。第二ダクト４０ｂの長さは、サイクロン式集塵装置６０ｂの配設位置と、ファンユニット７０の配設位置とで決定される。本実施形態において、サイクロン式集塵装置６０ｂは、同サイクロン式集塵装置６０の入口６０ｂ２ｄに吹き込んだ熱気や煙等をファンユニット７０に近い幅方向内側に向かって旋回させるため、第二ダクト４０ｂの長さが短くて済む。従って、排気流路を短縮することができ、圧力損失を抑制することが可能となっている。
【００３５】
以上説明したように、サイクロン式集塵装置６０ｂにおいては、熱気や煙等に含まれる油塵成分を分離除去するため、台所用換気装置１０は清浄な空気を室外に排出することが可能となる。また、油塵成分を分離容器６０ｂ３の限られた部位に回収することができるため、清掃等を簡単に行うことができる。さらに、分離容器６０ｂ３以外を清掃するにあたっても、排気経路を構成する第一ダクト５０ｂおよび第二ダクト４０ｂは略筒状であり単純な構造であるため、簡単に清掃することができる。また、第一ダクト５０ｂおよび第二ダクト４０ｂはレンジフード２０の外部に備えられるため、簡単に取り外して洗浄等を行うことも可能である。
【００３６】
なお、もう一方のサイクロン式集塵装置６０ａについては、サイクロン式集塵装置６０ｂと左右対称の構成となっているため、図示および説明は省略する。サイクロン式集塵装置６０ａ，６０ｂにおいては、複雑な気流により圧力損失が発生する。しかし、本発明によればサイクロン式集塵装置６０ａ，６０ｂが二個備えられるため、排気流路の断面積は同一の大きさの場合には単一の場合の二倍となる。従って、圧力損失を抑制することができる。また、サイクロン式集塵装置６０ａ，６０ｂを二個備えることにより、全体としてサイクロン式集塵装置６０ａ，６０ｂの大きさを小さくすることができると共に、油塵成分の分離効率も向上させることができる。
【００３７】
更に、上記実施形態においては、サイクロン式集塵装置６０ａ、６０ｂを備えて、通常吸気口２３ａ１に備えられるフィルタを省略しているが、本発明においては、サイクロン式集塵装置６０ａ、６０ｂを備えず、吸気口２３ａ１等の適宜の位置にフィルタを設ける構成とすることも可能である。
【図面の簡単な説明】
【００３８】
【図１】本発明にかかる台所用換気装置の外観を示す斜視図である。
【図２】レンジフードの断面図である。
【図３】台所用換気装置の平面図である。
【図４】ファンユニットおよび第二ダクトの分解斜視図である。
【図５】サイクロン式集塵装置の分解斜視図である。
【図６】サイクロン式集塵装置の斜視図である。
【符号の説明】
【００３９】
１０…台所用換気装置
２０…レンジフード
２０ａ…開口
２１…案内面
２１ｂ…ガイド部
２３ａ，２３ｂ…側面板
２３ａ１，２３ｂ１…吸気口
２９…操作パネル
３０…幕板
４０ａ，４０ｂ…第二ダクト
４０ｃ…半月状部
４０ｃ１…連通穴
５０ａ，５０ｂ…第一ダクト
６０ａ，６０ｂ…サイクロン式集塵装置
７０…ファンユニット
７０ａ…ファン吸気口
７０ｂ…ファン排気口
７０ｃ…シロッコファン
【図１】
2005127560.tif 000003
【図２】
2005127560.tif 000004
【図３】
2005127560.tif 000005
【図４】
2005127560.tif 000006
【図５】
2005127560.tif 000007
【図６】
2005127560.tif 000008